(57)【特許請求の範囲】
【請求項１】
２枚以上の原紙が積層されているトイレクリーナーであって、
第１の凸部と、前記第１の凸部の周囲に配置され前記第１の凸部と膨出部の形状及び高さが異なる第２の凸部と、が全面に形成されるとともに、前記第１の凸部及び前記第２の凸部の各膨出部がシートの同一面側に形成されていることを特徴とするトイレクリーナー。
【請求項２】
前記第１の凸部が菱形格子に配列されたことを特徴とする請求項１に記載のトイレクリーナー。
【請求項３】
前記第２の凸部が２つの前記第１の凸部の間に配列されたことを特徴とする請求項１又は２に記載のトイレクリーナー。
【請求項４】
前記第１の凸部と前記第２の凸部が接して連なった凸部となっていることを特徴とする請求項１から３のいずれか一項に記載のトイレクリーナー。
【発明の詳細な説明】
【技術分野】
【０００１】
本発明は、トイレクリーナーに関する。
【背景技術】
【０００２】
現在、トイレクリーナーやキッチンクリーナー等の家庭用薄葉紙は、風合い、吸収性及び嵩高性等を向上させるために、クレープ紙などの原紙を複数枚プライ加工して１枚のシートとしたものが一般的に使用されている。そして、このような家庭用薄葉紙の表面強度を高めるためにエンボス加工を施している。
【０００３】
例えば、水分を包含した状態でエンボス加工をすることにより、嵩高なエンボス加工を施した後に引っ張ってもエンボスつぶれが発生しにくく厚みを保持できる嵩高紙が開示されている（例えば、特許文献１参照）。
【０００４】
また、例えば、直線形エンボスが、格子パターンを成すよう複数形成され、格子パターンによって囲まれるそれぞれの格子部に、六角形エンボスが、亀甲パターンを成すよう複数形成されていることにより、粉塵、粘度の高いグリス、粘度の低い水等の拭き取り性、吸収性に優れ、且つ紙粉の発生量が少ない産業用ワイプが開示されている（例えば、特許文献２参照）。
【先行技術文献】
【特許文献】
【０００５】
【特許文献１】特開２００８−０９４０６７号公報
【特許文献２】特開２０１２−１０６１２３号公報
【発明の概要】
【発明が解決しようとする課題】
【０００６】
しかしながら、特許文献１及び２に記載された家庭用薄葉紙（嵩高紙等）では、エンボス加工により家庭用薄葉紙の表面強度は高まるものの、家庭用薄葉紙の接触面積が減少してしまい、拭き掃除の際に拭き取り性能が悪化してしまうといった問題点があった。
【０００７】
本発明の課題は、エンボス加工によりトイレクリーナーの表面強度を高めると共に、接触面積が増加して拭き取り性能の高いトイレクリーナーを提供することにある。
【課題を解決するための手段】
【０００８】
前記課題を解決するために、請求項１記載の発明は、
２枚以上の原紙が積層されているトイレクリーナーであって、
第１の凸部と、前記第１の凸部の周囲に配置され前記第１の凸部と膨出部の形状及び高さが異なる第２の凸部と、が全面に形成されるとともに、前記第１の凸部及び前記第２の凸部の各膨出部がシートの同一面側に形成されていることを特徴とする。
【０００９】
請求項２記載の発明は、請求項１に記載のトイレクリーナーにおいて、前記第１の凸部が菱形格子に配列されたことを特徴とする。
【００１０】
請求項３記載の発明は、請求項１又は２に記載のトイレクリーナーにおいて、前記第２の凸部が２つの前記第１の凸部の間に配列されたことを特徴とする。
【００１１】
請求項４記載の発明は、請求項１から３のいずれか一項に記載のトイレクリーナーにおいて、前記第１の凸部と前記第２の凸部が接して連なった凸部となっていることを特徴とする。
【発明の効果】
【００１２】
本発明によれば、２枚以上の原紙が積層されているトイレクリーナーであって、第１の凸部と、第１の凸部の周囲に配置され第１の凸部と膨出部の形状及び高さが異なる第２の凸部と、が全面に形成されるとともに、第１の凸部及び第２の凸部の各膨出部がシートの同一面側に形成されているので、第１の凸部及び第２の凸部によりトイレクリーナーの表面強度を高めると共に、拭き取り性能の高いトイレクリーナーを提供することができる。
【図面の簡単な説明】
【００１３】
【図１】実施形態のトイレクリーナーの一例を示す平面図である。
【図２】トイレクリーナーのエンボス部分の拡大図及び断面図である。
【図３】エンボスの接触面積の一例を示す説明図である。
【図４】実施例及び比較例のエンボスの形状及び配置の一例を示す説明図である。
【図５】実施形態のトイレクリーナーの他の一例を示す平面図である。
【発明を実施するための形態】
【００１４】
以下、図面を参照しつつ、本発明の実施形態であるトイレクリーナーを詳細に説明する。但し、発明の範囲は、図示例に限定されない。
【００１５】
なお、トイレクリーナー１００の短手方向をＸ方向、トイレクリーナー１００の長手方向をＹ方向として説明する。
【００１６】
（実施形態）
本実施形態によって製造されるトイレクリーナー１００は、複数枚の原紙がプライ加工（積層）されたものであって、所定の薬液が塗布されている。また、トイレクリーナー１００のシート全面には、図１に示す通り、２種類のエンボスＥＭ１１及びＥＭ１２がエンボス加工により施されている。なお、２種類のエンボスＥＭ１１及びＥＭ１２により生じる清掃対象物等との接触面積は、１００ｍｍ２当り、１５ｍｍ２〜３０ｍｍ２程度であることが好ましい。
【００１７】
例えば、エンボスＥＭ１１は菱形格子となるように配置されることにより、エンボスＥＭ１１が正方格子や矩形格子に配置される場合と比較して拭きムラを軽減することができる。また、エンボスＥＭ１２は、エンボスＥＭ１１の間に配置されている。
【００１８】
また、トイレクリーナー１００は、折り加工されることにより、長手方向（Ｙ方向）の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００１９】
また、本実施形態のトイレクリーナー１００は、トイレを掃除した後、そのまま便器の水溜りに廃棄できるように、水解性の繊維集合体から構成されている。
【００２０】
繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等があげられる。また、基材の強度を向上させるために、紙力増強剤としてポリビニルアルコール（ＰＶＡ）やカルボキシメチルセルロース（ＣＭＣ）等を配合若しくは塗工・塗布してもよい。
【００２１】
また、本実施形態のトイレクリーナー１００には、所定の薬液が塗布されており、具体的には、水性洗浄剤の他、香料、防腐剤、除菌剤、紙力増強剤等の補助剤を含む所定の薬液が塗布されている。
【００２２】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
【００２３】
また、上述した薬液の成分の補助剤については適宜選択可能であり、必要に応じて他の機能を果たす成分を薬液に含ませてもよい。
【００２４】
エンボスＥＭ１１は、図２（ａ）に示すように、膨出部ＰＲ２１が曲面の形状を有している。
【００２５】
また、エンボスＥＭ１２は、図２（ｂ）に示すように、膨出部ＰＲ２２が平面の形状を有している。
【００２６】
そして、エンボスＥＭ１２は、エンボスＥＭ１１の間に配置されているので、エンボスＥＭ１１の膨出部ＰＲ２１及びＥＭ１２の膨出部ＰＲ２２は近接して密着することにより、図２（ｃ）に示すように連なったエンボスＥＭ２１として形成されることになる。
また、エンボスＥＭ１１の膨出部ＰＲ２１とエンボスＥＭ１２の膨出部ＰＲ２２が近接するだけであって、連なっていない場合であってもよい。
【００２７】
このように形成された２種類のエンボスＥＭ１１及びＥＭ１２により、清掃対象物等との接触面積を増やすことができるので、トイレクリーナー１００の硬さが緩和されて、拭き取り性能が高くなる。
【００２８】
すなわち、トイレクリーナー１００のシート全面に、膨出部ＰＲ２１が曲面であるエンボスＥＭ１１と、膨出部ＰＲ２２が平面であるエンボスＥＭ１２を組み合わせて形成することにより、拭き取り動作時にトイレクリーナー１００に力が加わった時点で各エンボスが変形して、初めて接触面積が増加することになるので、接触面積を増加させると共に、各エンボスの変形に起因して、しなやかさも向上することになる。
【００２９】
例えば、図３（ａ）に示すように、単一のエンボスＥＭ１１の場合には、拭き取り動作時にトイレクリーナー１００に加わる力によりエンボスＥＭ１１が変形して生じる接触面積ＣＮ３１は、エンボスＥＭ１１近傍に離散的に生じる。これに対して、２種類のエンボスＥＭ１１及びＥＭ１２を組み合わせた場合には、図３（ｂ）に示すように、拭き取り動作時にトイレクリーナー１００に加わる力によりエンボスＥＭ１１及びＥＭ１２が変形して生じる接触面積ＣＮ３２は、図３（ａ）の接触面積ＣＮ３１と比較して、増加することが分かる。
【００３０】
また、２種類のエンボスＥＭ１１及びＥＭ１２は、通常のエンボスの効果を同様に得ることができ、トイレクリーナーの風合い、吸収性及び嵩高性等を向上させることができる。さらに、連なったエンボスＥＭ２１は、通常のエンボスと同様に、エンボスを施すことによる見栄えの良さの効果も得ることができる。
【００３１】
次に、従来の丸形（矩形格子、菱形格子）のエンボスを施したトイレクリーナーと、本実施形態の２種類のエンボスＥＭ１１及びＥＭ１２を施したトイレクリーナー１００とについて、拭き取り性、表面強度、しなやかさ、接触面積を評価した結果を説明する（表１参照）。
【００３２】
なお、表１における実施例１は、２種類のエンボスＥＭ１１及びＥＭ１２が円形や正方形等の縦横比率が同じではない形状のものであり、実施例２は、２種類のエンボスＥＭ１１及びＥＭ１２が楕円形や長方形等の縦横比率が同じ形状のものである。
【００３３】
具体的には、比較例１のエンボスＥＭ１１は、図４（ａ）に示すように、丸形の形状であって、菱形格子に配列され、比較例２のエンボスＥＭ１１は、図４（ｂ）に示すように、丸形の形状であって、矩形格子に配列される。
【００３４】
一方、実施例１の２種類のエンボスＥＭ１１及びＥＭ１２は、図４（ｃ）に示すように、長尺な楕円形状であり、且つ、短手方向にくびれ部を有する形状、所謂、ひょうたん形状であって、菱形格子に配列され、実施例２の２種類のエンボスＥＭ１１及びＥＭ１２は、図４（ｄ）に示すように、円形状であり、且つ、トイレクリーナー１００の長手方向及び短手方向にくびれ部をそれぞれ有する形状であって、菱形格子に配列される。
【００３５】
【表１】
0005883187.tif 000002
【００３６】
＜実施条件＞
原紙：パルプ１００％（ＰＶＡ繊維配合の場合は、パルプ９９．５％〜９９．９％、
ＰＶＡ繊維０．１％〜０．５％配合）
秤量（ドライ状態）：９０ｇ／ｍ２（２プライ）
エンボス条件：エンボスＥＭ１１…ＭＤ方向３ｍｍ、ＣＤ方向６ｍｍ（実施例１）
ＭＤ、ＣＤ方向３ｍｍ（実施例２）
直径３ｍｍ（比較例１、比較例２）
エンボスＥＭ１２…ＭＤ方向５ｍｍ、ＣＤ方向８ｍｍ（実施例１）
ＭＤ、ＣＤ方向５ｍｍ（実施例２）
ピッチ…ＭＤ方向５ｍｍ、ＣＤ方向８ｍｍ（実施例１）
ＭＤ、ＣＤ方向５ｍｍ（実施例２)
ＭＤ、ＣＤ方向３ｍｍ（比較例１及び比較例２）
薬液成分：多価アルコール、界面活性剤、除菌剤、オレンジエキス、シリコーン
【００３７】
トイレクリーナー１００の完成品の使用時において、拭き取り性、しなやかさ、接触面積について官能評価を行った。なお、トイレクリーナー１００は、本実施形態で示した通り、薬液塗布されて濡れた状態になっており、広げて使用する場合を想定して評価した。
【００３８】
拭き取り性の評価においては、約２００ｍｍ×２００ｍｍのタイル片の上に１ｇの疑似汚れである泥状便を乗せ、泥状便の上に１００ｍｍ×１００ｍｍの試験片を乗せて１ｋｇのおもりで荷重をかける。そして、当該おもりを押して左右に一往復させることを３度繰り返した後、ＡＴＰ拭き取り検査装置で汚れの残りを測定して評価した（ＲＬＵが３０００以上の場合は「×」、ＲＬＵが２０００〜３０００未満の場合は「△」、ＲＬＵが２０００未満の場合は「○」、ＲＬＵが１０００未満の場合は「◎」）。表１に示すように、比較例１の場合は、拭き取り性が悪く、比較例２の場合は、拭き取り性は良く、２種類のエンボスＥＭ１１及びＥＭ１２を施した実施例１及び実施例２の場合は、拭き取り性が非常に良い。
【００３９】
ちなみに、疑似汚れである泥状便の成分は、そば粉、との粉、人工尿、ＣＭＣ（カルボキシメチルセルロース）、グリセリン及び界面活性剤を所定の配合量で混ぜ合わせたものである。また、ＡＴＰ拭き取り検査装置とは、すべての生物の細胞内に存在するＡＴＰ（アデノシン三リン酸）を酵素などと組み合わせて発光させ、その発光量（Relative Light
Unit；ＲＬＵ）を測定する装置である。
【００４０】
しなやかさの評価においては、２５ｍｍ×１２０ｍｍでＭＤ方向にカットした試験片（トイレクリーナー）を４つ用意し、カンチレバー法（ＪＩＳ  Ｌ  １９１３：２０１０）に基づき、斜面に試験片が接するまでの距離で評価した（３５ｍｍ以上、若しくは、２０ｍｍ未満の場合は「×」、２０ｍｍ〜３０ｍｍ未満の場合は「○」）。表１に示すように、比較例１及び比較例２の場合は、しなやかさがなく、２種類のエンボスＥＭ１１及びＥＭ１２を施した実施例１及び実施例２の場合は、しなやかであった。
【００４１】
接触面積の評価においては、アクリル樹脂版にアクリル絵具を塗布し、その上に１０ｃｍ×１０ｃｍの試験片を乗せ、さらに１ｋｇのおもりを乗せる。３０秒後経過後に、エンボスに付着した色の面積（１ｃｍ２当り）を計測して評価した（着色部の面積が３０ｍｍ２以上の場合は「×」、着色部の面積が２５ｍｍ２〜３０ｍｍ２未満、若しくは、１５ｍｍ２以下の場合は「△」、着色部の面積が１５ｍｍ２〜２５ｍｍ２未満の場合は「○」）。表１に示すように、比較例１及び比較例２の場合は、やや接触面積が狭く、２種類のエンボスＥＭ１１及びＥＭ１２を施した実施例１及び実施例２の場合は、接触面積が広い。
【００４２】
このように、膨出部が曲面のエンボスＥＭ１１と膨出部が平面のエンボスＥＭ１２の２種類のエンボスを施した場合、清掃対象物等との接触面積を増やすことができるので、エンボス加工によるトイレクリーナーの表面強度を維持すると共に、拭き取り性能が高いという顕著な効果を得ることができる。
なお、このようにしなやかさを有するエンボスでも、エンボス加工後の加工工程でのテンションに負けない性質がある。
【００４３】
水解性の評価については、エンボス加工の違いにより、水解性に影響がないか確認するための試験を実施した。試験方法は、ＪＩＳ  Ｐ  ４５０１（２００６）４．５「ほぐれやすさ」に従って測定した。実施例１〜２、比較例１〜２いずれの場合も、表１に示すように水解性の基準(１００秒以内でほぐれること)を満たしていることを確認した。
【００４４】
以上のように、２枚以上の原紙がプライ加工されるトイレクリーナーであって、膨出部が曲面のエンボスと膨出部が平面のエンボスの２種類の形状のエンボスを形成することにより、清掃対象物等との接触面積が増加するので、エンボス加工によりトイレクリーナーの表面強度を高めると共に、拭き取り性能の高いトイレクリーナーを提供することができる。
【００４５】
なお、本発明の実施形態等の説明に際しては、膨出部ＰＲ２１が曲面の形状を有しているエンボスＥＭ１１と、膨出部ＰＲ２２が平面の形状を有しているエンボスＥＭ１２を例示しているが、必ずしもこの形状に限定されるものではなく、例えば、エンボスＥＭ１１及びエンボスＥＭ１２の膨出部が高さの異なる平面の形状であってもよい。また、例えば、エンボスＥＭ１１の膨出部が平面の形状であり、エンボスＥＭ１２の膨出部が曲面の形状であってもよい。
【００４６】
言い換えれば、膨出部の形状が同一形状ではない２種類のエンボス（第１のエンボス及び第２のエンボス）であって、第１のエンボスの周囲に、第２のエンボスが配置されるものであれば、各エンボスの膨出部の形状はどのようなものであってもよい。
【００４７】
また、本発明の実施形態等の説明に際しては、膨出部が平面のエンボスＥＭ１２は、膨出部が曲面のエンボスＥＭ１１の間に配置されているが、エンボスＥＭ１１が互いに交差するものであってもよい。
【００４８】
また、本発明の実施形態等の説明に際しては、すべてのエンボスＥＭ１１及びＥＭ１２が、図１の図面手前方向に凸になっているが、図面手前方向に凸なエンボスＥＭ１１及びＥＭ１２と、図面手前方向に凹なエンボスＥＭ１１及びＥＭ１２を交互に配置するものであってもよい。
【００４９】
例えば、図５に示すように、図５の図面手前方向に凸なエンボスＥＭ１１及びＥＭ１２（実線部分）と、図５の図面手前方向に凹なエンボスＥＭ１１及びＥＭ１２（破線部分）を交互に配置することにより、エンボス加工によりトイレクリーナーの表面強度を高めると共に、両面のどちらでも拭き取り性能の高いトイレクリーナーを提供することができる。
【００５０】
また、本発明の実施形態等の説明に際しては、エンボスＥＭ１１の膨出部ＰＲ２１及びＥＭ１２の膨出部ＰＲ２２は近接して密着することにより、連なったエンボスＥＭ２１として形成されているが、エンボスＥＭ１１の膨出部ＰＲ２１及びＥＭ１２の膨出部ＰＲ２２は近接するだけで密着しないものであってもよい。
【００５１】
また、本発明の実施形態の説明に際しては、エンボスＥＭ１１の形状として、円形若しくは楕円形の形状を例示しているが、エンボスの形状は方形、多角形等の任意の形状でよい。
【００５２】
また、図２におけるエンボスＥＭ１１及びＥＭ１２の膨出部の高さＨＴ２１及びＨＴ２２は、例えば、０．４０ｍｍ〜０．７５ｍｍであることが好ましい。
【００５３】
例えば、高さが０．４０ｍｍ未満であると、拭き取り時の摩擦が強くなって、拭き取りがしにくく、また、高さが０．７５ｍｍを超えると、包装時にエンボスＥＭ１１及びＥＭ１２の形状がくずれやすくなって、見栄えが悪くなる。
【符号の説明】
【００５４】
１００  トイレクリーナー
ＥＭ１１、ＥＭ１２、ＥＭ２１  エンボス
ＰＲ２１、ＰＲ２２  膨出部
【要約】
【課題】エンボス加工によりトイレクリーナーの表面強度を高めると共に、接触面積が増加して拭き取り性能の高いトイレクリーナーを提供する。
【解決手段】２枚以上の原紙がプライ加工されるトイレクリーナーであって、第１のエンボスＥＭ１１と、第１のエンボスＥＭ１１の周囲に配置され第１のエンボスＥＭ１１と膨出部の形状が異なる第２のエンボスＥＭ１２と、が全面に形成される。このため、清掃対象物等との接触面積を増やすことができるので、エンボス加工によりトイレクリーナーの表面強度を高めると共に、拭き取り性能を高くすることができる。
【選択図】図１【図１】
0005883187.tif 000003
【図２】
0005883187.tif 000004
【図３】
0005883187.tif 000005
【図４】
0005883187.tif 000006
【図５】
0005883187.tif 000007